(57)【特許請求の範囲】
【請求項１】
エッジを有する細長いフロアと、
２つの側部とを含み、
各側部は、２つの押出し片を含み、
該２つの押出し片の一方が、前記フロアに対して直角な直立位置と前記細長いフロアに隣接する折畳み位置との間で、前記２つの押出し片の他方に対して旋回するのを可能にするために、前記２つの押出し片の一方は、前記エッジのうちの関連するエッジに取り付けられ、前記２つの押出し片の他方は、ヒンジを介して前記２つの押出し片の一方に接続される、
足場。
【請求項２】
前記２つの押出し片の一方は、シリンダと、該シリンダからある距離で離間する同心状の半円壁とを含み、前記２つの押出し片の他方は、更なる半円壁を含み、該更なる半円壁は、ヒンジを形成するように、前記シリンダと前記同心状の半円壁との間に適合するよう成形される、請求項１に記載の足場。
【請求項３】
前記フロアの前記エッジは、２つの桁によって形成され、該２つの桁の間にプラスチック板を備え、前記桁は、前記２つの押出し片の前記一方によって形成される、請求項１又は２に記載の足場。
【請求項４】
請求項１乃至３のうちのいずれか１項に記載の足場を含む懸架足場取付けであって、当該懸架足場取付けは、滑車ユニットも含み、該滑車ユニットは、ボックスを備え、該ボックス内に滑車機構を備え、前記滑車ユニットは、前記滑車ユニットを前記足場の側部の端部に接続するための接続装置も備え、該接続装置は、下部及び上部の接続素子と、２つの突起とを含み、該２つの突起は、前記ボックスに対して直角に突出し、且つ、前記下部接続素子に接続されることを特徴とする、懸架足場取付け。
【請求項５】
請求項１乃至３のうちのいずれか１項に記載の足場を含む懸架足場取付けであって、当該懸架足場取付けは、滑車ユニットも含み、該滑車ユニットは、ケージフレームを備え、該ケージフレーム内に滑車機構を備え、該滑車機構は、前記ケージフレームに対して固定され、前記ケージフレームは、前記足場に対する接続のための接続装置を備えることを特徴とする、懸架足場取付け。
【発明の詳細な説明】
【技術分野】
【０００１】
本発明は、懸架足場取付けに対する足場に係り、当該足場は、細長いフロア（床）、及びフロアの長手方向エッジに対してヒンジを介して接続される２つの垂直側部を有する。該ヒンジは、側部が互いに向かう方向においてフロアに向かって折り畳まれ得るのみであるように、また互いに対して少なくとも９０度回転され得るように、作られる。
【背景技術】
【０００２】
ＪＰ  １０  ０８８  ７８７８  Ａ（特許文献１）から、側部がフロアに対してヒンジ留めされるエレベータのプラットフォーム（ｌｉｆｔ  ｐｌａｔｆｏｒｍ）は既知である。各側部は、互いに対して接続されるバーを有して作られ、側部は、別個のヒンジを介してフロアに対して接続される。
【先行技術文献】
【特許文献】
【０００３】
【特許文献１】ＪＰ  １０  ０８８  ７８７８  Ａ
【特許文献２】ＵＳ−Ａ−１  ４６２  ５４１
【発明の概要】
【発明が解決しようとする課題】
【０００４】
本発明は、より容易に製造され得る冒頭に記載された種類の足場を与える、ことを目的とする。
【課題を解決するための手段】
【０００５】
この目的に対して、本発明に従った足場は、ヒンジが互いへと押され得る２つの押出し片（ｅｘｔｒｕｓｉｏｎ  ｐｉｅｃｅｓ）を有すること、及び、各側部がカットアウト開口を有する１つの押出し片から作られ、該押出し片がヒンジの１つの片の１つ（ｏｎｅ  ｏｆ  ｔｈｅ  ｐｉｅｃｅｓ  ｏｆ  ｏｎｅ  ｏｆ  ｔｈｅ  ｈｉｎｇｅｓ）であること、を特徴とする。
【０００６】
フロアと、一体にされたヒンジを介してフロアに対してヒンジ留めされ且つ一個構成で各々が作られる（ｅａｃｈ  ｍａｄｅ  ｏｆ  ｏｎｅ  ｐｉｅｃｅ）２つの側部とを備える構造は、ＵＳ−Ａ−１  ４６２  ５４１（特許文献２）から既知である、ことが留意される。しかしながら、これは、懸架足場取付けに対する足場ではなく、ヒンジ留めされた側壁を有するＵ字型部分スラブである。
【０００７】
フロアはまた、間にプラスチック板を有する２つの桁を望ましくは有する。該桁は、１つの押出し片から各々形成され、押出し片の１つは、ヒンジの１つである。
【０００８】
本発明はまた、本発明に従った足場を有する懸架足場取付けに係る。懸架足場取付けに関し、本発明は、当該懸架足場取付けが滑車ユニット（テークルユニット、ｔａｃｋｌｉｎｇ  ｕｎｉｔ）も有する、ことを特徴とする。該滑車ユニットは、内部に滑車機構（ｔａｃｋｌｉｎｇ  ｍｅｃｈａｎｉｓｍ）を有するボックスを与えられ、また、足場の端部又は側部に対して滑車ユニットを接続するための接続装置を与えられる。該接続装置は、望ましくは下部及び上部接続素子と、ボックスに対して直角に延在し且つ下部接続素子に対して接続される２つの突起とを有する。
【０００９】
本発明に従った懸架足場取付けの更に他の実施例は、懸架足場取付けが滑車ユニットも有する、ことを特徴とする。該滑車ユニットは、内部に滑車機構を有するケージフレームを与えられる。該滑車機構はケージフレームに対して固定され、ケージフレームは、足場に対する接続のための接続装置を与えられる。ケージフレームは、不注意に落下する場合の損傷から滑車ユニットを保護する。
【００１０】
本発明は、本発明に従った足場及び懸架足場取付けの実施例が示される図面に基づいて、以下においてより完全に説明される。
【図面の簡単な説明】
【００１１】
【図１】展開されたときの本発明に従った足場の一実施例を断面で図示する。
【図２】互いの上部に折り畳まれ且つ積み重ねられる足場を図示する。
【図３】足場のヒンジを図示する。
【図４】足場の桁を有する側部を図示する。
【図５】レストと側部との間における接続を図示する。
【図６】本発明に従った懸架足場取付けの接続モジュールの一実施例を図示する。
【図７】接続モジュールの脚部を側面図で示す。
【図８】脚部を上方からみた斜視図で示す。
【図９】本発明に従った懸架足場取付けの第１の実施例の作業ケージを図示する。
【図１０】本発明に従った懸架足場取付けの第２の実施例を図示する。
【図１１】本発明に従った懸架足場取付けの第２の実施例を図示する。
【図１２】図１０及び１１中の懸架足場取付けの滑車ユニットを図示する。
【図１３】図１０及び１１中の懸架足場取付けの滑車ユニットを図示する。
【図１４】図１０及び１１中の懸架足場取付けの滑車ユニットを図示する。
【図１５】本発明に従った懸架足場取付けの第３の実施例を正面図で示す。
【図１６】本発明に従った懸架足場取付けの第３の実施例を側面図で示す。
【図１７】図１５及び１６中の懸架足場取付けの滑車ユニットを図示する。
【図１８】図１５及び１６中の懸架足場取付けの滑車ユニットを図示する。
【図１９】図１５及び１６中の懸架足場取付けの滑車ユニットを図示する。
【発明を実施するための形態】
【００１２】
図１及び２は、夫々展開されるとき並びに折り畳まれるときの本発明に従った足場の一実施例を断面で示す。足場１は、細長いフロア３、及びフロアの長手方向エッジ７に対してヒンジ止めされる２つの直角側部５を有する。
【００１３】
図３を参照すると、各ヒンジ９は、互いへと押され得る２つの押出し片１１及び１３によって形成され、該ヒンジは、側部５が互いに向かう方向においてフロアに向かって折り畳まれ得るのみであるように作られる。かかる押出し片の１つ１３は、円筒形のシリンダ１５、及びそれから距離を隔てて同心半円壁１７を有する。他の押出し片１１は、更なる半円壁１９を備える。該半円壁は、シリンダに対して同心であり、シリンダ１５と壁１７との間における空間へ押され得る。押出し片１１，１３は、互いに対して９０度回転され得る。
【００１４】
各側部５は、図４に示される通り、カットアウト開口を有する押出し片２１を有して作られ、押出し片２１の一部１１は、ヒンジ９の１つの一部を形成する。
【００１５】
フロア３のエッジ７は、図１に示される通り、間にプラスチック板２５がある桁によって形成される。桁は各々、ヒンジ９の他の部分を形成する押出し片１３によって形成される。
【００１６】
足場１はまた、図５に示される通り、ゴムバンド２９を有して側部５に対して接続されるレスト２７を備える。図２に示される折り畳まれた位置において、レスト２７は側部５上にある。図１中の展開された位置において、レストは、側部５から距離を隔てられ、図１には示されていない。
【００１７】
図６は、本発明に従った懸架足場取付けの接続モジュール３１を斜視図で示す。この接続モジュールは、２つの足場を互いに対して接続させ得るか、あるいは足場を作業ケージに対して接続させ得る（図９参照）。接続モジュール３１は、作業ケージ及び足場のフロアにおける穴に係合するよう４つの垂直接続ピン３５を有する下方部３３を備える。接続モジュールはまた、２つの脚部３７を有し、該脚部は、下方部３３上において固定され、側部及びレストが接続され得る。
【００１８】
各脚部３７は、共にヒンジ留めされる２つの部分３７Ａ及び３７Ｂを備え、該部分は、図７に示される通り、ロッキングピン３９によって共にロックされ得る。ロッキングピン３９は、部分３７Ｂにおける穴においてクランプするよう押され得、それによって脚部と一体にされるため、別個のロッキングピンは必要とされない。図８は、脚部３７を上方から示す。ピン４１は、足場の側部に対する接続のためのものであり、ピン４３は、レストに対する接続のためのものである。
【００１９】
図９は、本発明に従った懸架足場取付けの第１の実施例の作業ケージを示す。この作業ケージ４５は、足場の端部に対して接続され得るか、あるいは、２つの足場間において設置され得、足場は、互いに対して整列されるか、あるいは９０度の角度にされる。後者の場合、作業ケージは、角片を形成する。
【００２０】
作業ケージ４５は、足場に対して接続されるときに足場のフロアに対して接続されるフロア４８、及び、フロアの側部上に存在するボックス４７を備える。該ボックスにおいては、足場に対する接続のために、並びに作業ケージに対してエンドレスト（ａｎ  ｅｎｄ  ｒｅｓｔ）を接続するよう、足場に対して接続されるときに足場のフロアに対して接続される。懸架足場取付けは望ましくは、２つのケージを備え、該２つのケージの間には、１つ又はそれより多くの足場がある。懸架足場取付けは、滑車装置でもあるかかる２つのケージによって屋根の梁上に懸架され得る。足場が接続されない作業ケージの側部は、エンドレスト４９によって閉鎖され得る。
【００２１】
図１０及び１１は、本発明に従った懸架足場取付けの第２の実施例を多種の角度で示す。この懸架足場取付け５１は、足場５３及び２つの滑車ユニット５５を有する。各滑車ユニットは、内部に滑車機構（図示せず）を有するボックス５７を与えられる。２つの車輪５９は、ボックスの下部に対して固定される。
【００２２】
滑車ユニット５５はまた、足場５３の端部又は側部に対する接続のための装置を与えられる。かかる接続装置は、図１２及び１３に示される通り、下部及び上部接続素子６１及び６３によって形成される。突起６５は、図１４に示される通り、下部接続素子６３に対して接続され得るため、足場５３に対する接続は、特に滑車ユニット５５が足場の側部に対して接続される場合、より強くなり得る。本願では中空であるかかる突起６５は、ボックス５７に対して直角に突出する。滑車ユニット５５は、動くのが容易であるトローリーとして使用される。
【００２３】
図１５及び１６は、本発明に従った懸架足場取付けの第３の実施例を夫々正面図及び側面図で示す。この懸架足場取付け７１はまた、足場７３及び２つの滑車ユニット７５を備える。各滑車ユニットは、内部に滑車機構７９を有するケージフレーム７７を与えられ、該滑車機構は、図１６に示される通りケージに対して固定される。２つの車輪８１は、ケージフレーム７７の下部に対して固定される。ケージフレーム７７は、足場７３に対して接続される補助フレーム８５に対する接続のための接続装置８３を与えられる。
【００２４】
図１７及び１８は、滑車ユニット７５を多種の角度で示し、図１９は、足場パイプ（ｓｃａｆｆｏｌｄ  ｐｉｐｅ）８７が接続される滑車ユニット７５を示す。滑車ユニット７５は、この足場パイプ８７を掴むことによって容易に動かされ得る。
上述において本発明は、図面に基づいて説明されるが、本発明は、図示される実施例にいかようにも制限されない、ことが留意されるべきである。本発明はまた、請求項によって定義付けられるコンテクスト内において、図示される実施例から逸脱して全ての実施例に及ぶ。
【図１】
0005538900.tif 000002
【図２】
0005538900.tif 000003
【図３】
0005538900.tif 000004
【図４】
0005538900.tif 000005
【図５】
0005538900.tif 000006
【図６】
0005538900.tif 000007
【図７】
0005538900.tif 000008
【図８】
0005538900.tif 000009
【図９】
0005538900.tif 000010
【図１０】
0005538900.tif 000011
【図１１】
0005538900.tif 000012
【図１２】
0005538900.tif 000013
【図１３】
0005538900.tif 000014
【図１４】
0005538900.tif 000015
【図１５】
0005538900.tif 000016
【図１６】
0005538900.tif 000017
【図１７】
0005538900.tif 000018
【図１８】
0005538900.tif 000019
【図１９】
0005538900.tif 000020